【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
撮像素子から出力される画像のシェーディングを補正するシェーディング補正装置において、
前記撮像素子から１画素分の画素値に相当する撮像信号が出力されるのに同期して、第１の所定の値を累積加算して、該累積加算により得られる第１の水平累積加算値を出力する第１の水平累積加算手段と、
前記撮像素子から１画素分の画素値に相当する撮像信号が出力されるのに同期して、前記第１の水平累積加算値を累積加算して、該累積加算により得られる第２の水平累積加算値を出力する第２の水平累積加算手段と、
前記撮像素子から１ライン分の画素値に相当する撮像信号が出力されるのに同期して、第２の所定の値を累積加算して、該累積加算により得られる第１の垂直累積加算値を出力する第１の垂直累積加算手段と、
前記撮像素子から１ライン分の画素値に相当する撮像信号が出力されるのに同期して、前記第１の垂直累積加算手段の累積加算値を累積加算して、該累積加算により得られる第２の垂直累積加算値を出力する第２の垂直累積加算手段と、
前記第２の水平累積加算値と前記第２の垂直累積加算値に基づいてシェーディング補正を行う補正演算手段と
を有することを特徴とするシェーディング補正装置。
【請求項２】
前記撮像素子から１ライン分の画素値に相当する撮像信号が出力されるのに同期して、前記第１の水平累積加算値が第１の水平初期値に設定され、
前記第２の水平累積加算値が第２の水平初期値に設定される
ことを特徴とする請求項１に記載のシェーディング補正装置。
【請求項３】
前記撮像素子から１画像分の画素値に相当する撮像信号が出力されるのに同期して、前記第１の垂直累積加算値が第１の垂直初期値に設定され、
前記第２の累積加算値が第２の垂直初期値に設定される
ことを特徴とする請求項１又は２に記載のシェーディング補正装置。
【請求項４】
前記第１の所定の値はその絶対値が「１」であることを特徴とする請求項１乃至３の何れかに記載のシェーディング補正装置。
【請求項５】
前記撮像素子から各ラインの中央部の画素に相当する撮像信号が出力されるのに同期して、前記第１の水平累積加算値が「０」となるように、前記第１の水平初期値が定められていることを特徴とする請求項２乃至４の何れかに記載のシェーディング補正装置。
【請求項６】
前記第２の水平初期値は、前記第１の水平累積加算手段が前記第１の水平初期値を出力してから「０」を出力するまでの間に出力する全ての累積加算値の総和と絶対値が等しく、符号が反対の値であることを特徴とする請求項５に記載のシェーディング補正装置。
【請求項７】
前記第２の所定の値はその絶対値が「１」であることを特徴とする請求項１乃至６の何れかに記載のシェーディング補正装置。
【請求項８】
前記撮像素子から各画像の中央部のラインに相当する撮像信号が出力されるのに同期して、前記第１の垂直累積加算値が「０」となるように、前記第１の垂直初期値が定められていることを特徴とする請求項３乃至７の何れかに記載のシェーディング補正装置。
【請求項９】
前記第２の垂直初期値は、前記第１の垂直累積加算手段が前記第１の垂直初期値を出力してから「０」を出力するまでの間に出力する全ての累積加算値の総和と絶対値が等しく、符号が反対の値であることを特徴とする請求項８に記載のシェーディング補正装置。
【請求項１０】
前記補正演算手段は、前記第２の水平累積加算値と前記第２の垂直累積加算値との和に所定の係数を掛けた値を上記撮像信号に掛けて得られた信号と、上記撮像信号を加算した結果を、シェーディング補正された撮像信号として出力することを特徴とする請求項１乃至９の何れかに記載のシェーディング補正装置。
【請求項１１】
撮像素子から出力される画像のシェーディングを補正するシェーディング補正装置において、
前記撮像素子から１画素分の画素値に相当する撮像信号が出力されるのに同期して、第１から第Ｎ（Ｎは２以上の整数）の水平累積加算値を計算する、第１乃至第Ｎ（Ｎは２以上の整数）の水平累積加算手段と、
前記撮像素子から１ライン分の画素値に相当する撮像信号が出力されるのに同期して、第１から第Ｍ（Ｍは２以上の整数）の垂直累積加算値を計算する第１乃至第Ｍ（Ｍは２以上の整数）の垂直累積加算手段と、
前記第Ｎの水平累積加算手段が出力する前記第Ｎの水平累積加算値の絶対値と前記第Ｍの垂直累積加算手段が出力する前記第Ｍの垂直累積加算値の絶対値に基づいてシェーディング補正を行う補正演算手段とを有し、
前記第１の水平累積加算手段は、第１の所定の値を累積加算して得られる値を、前記第１の水平累積加算値として出力し、
前記第Ｋの水平累積加算手段（Ｋは２乃至Ｎのうちの任意のもの）は、前記第（Ｋ−１）の水平累積加算手段が出力する前記第（Ｋ−１）の水平累積加算値を累積加算して得られる値を、前記第Ｋの水平累積加算値として出力し、
前記第１の垂直累積加算手段は、第２の所定の値を累積加算して得られる値を、前記第１の垂直累積加算値として出力し、
前記第Ｌの垂直累積加算手段（Ｌは２乃至Ｍのうちの任意のもの）は、前記第（Ｌ−１）の垂直累積加算手段が出力する第（Ｌ−１）の垂直累積加算値を累積加算して得られる値を、前記第Ｌの垂直累積加算値を出力する
ことを特徴とするシェーディング補正装置。
【請求項１２】
前記撮像素子から１ライン分の画素値に相当する撮像信号が出力されるのに同期して、前記第１乃至第Ｎの水平累積加算値がそれぞれ第１乃至第Ｎの水平初期値に設定される
ことを特徴とする請求項１１に記載の撮像装置。
【請求項１３】
前記撮像素子から１画像分の画素値に相当する撮像信号が出力されるのに同期して、前記第１乃至第Ｍの垂直累積加算値がそれぞれ第１乃至第Ｍの垂直初期値に設定される
ことを特徴とする請求項１１又は１２に記載のシェーディング補正装置。
【請求項１４】
前記第１の所定の値はその絶対値が「１」であることを特徴とする請求項１１乃至１３の何れかに記載のシェーディング補正装置。
【請求項１５】
前記撮像素子から各ラインの中央部の画素に相当する撮像信号が出力されるのに同期して、前記第１の水平累積加算値が「０」となるように、前記第１の水平初期値が定められていることを特徴とする請求項１２乃至１４の何れかに記載のシェーディング補正装置。
【請求項１６】
第Ｋの水平初期値（Ｋは２乃至Ｎのうちの任意のもの）は、前記（Ｋ−１）の水平累積加算手段が前記第（Ｋ−１）水平初期値を出力してから「０」を出力するまでの間に出力する全ての累積加算値の総和と絶対値が等しく、符号が反対の値であることを特徴とする請求項１５に記載のシェーディング補正装置。
【請求項１７】
前記第２の所定の値はその絶対値が「１」であることを特徴とする請求項１１乃至１６の何れかに記載のシェーディング補正装置。
【請求項１８】
前記撮像素子から各画像の中央部のラインに相当する撮像信号が出力されるのに同期して、前記第１の垂直累積加算値が「０」となるように、前記第１の垂直初期値が定められていることを特徴とする請求項１３乃至１７の何れかに記載のシェーディング補正装置。
【請求項１９】
第Ｌの垂直初期値（Ｌは２乃至Ｍのうちの任意のもの）は、前記（Ｌ−１）の垂直累積加算手段が前記第（Ｌ−１）の垂直初期値を出力してから「０」を出力するまでの間に出力する全ての累積加算値の総和と絶対値が等しく、符号が反対の値であることを特徴とする請求項１８に記載のシェーディング補正装置。
【請求項２０】
前記補正演算手段は、前記第Ｎの水平累積加算手段が出力する第Ｎの水平累積加算値の絶対値と、前記第Ｍの垂直累積加算手段が出力する第Ｍの垂直累積加算値の絶対値との和に、所定の係数を掛けた値を上記撮像信号に掛けて得られた信号と、上記撮像信号を加算した結果を、シェーディング補正された撮像信号として出力することを特徴とする請求項１１乃至１９の何れかに記載のシェーディング補正装置。
【請求項２１】
前記撮像装置が出力する画素値は複数の色成分の中のいずれか１つの色成分の値であり、
前記所定の係数として、前記複数の色成分の色に応じて異なる値の係数を出力する係数生成手段をさらに有する
ことを特徴とする請求項１乃至２０のいずれかに記載のシェーディング補正装置。
【手続補正２】
【補正対象書類名】明細書
【補正対象項目名】０００５
【補正方法】変更
【補正の内容】
【０００５】
本発明は、
撮像素子から出力される画像のシェーディングを補正するシェーディング補正装置において、
前記撮像素子から１画素分の画素値に相当する撮像信号が出力されるのに同期して、第１の所定の値を累積加算して、該累積加算により得られる第１の水平累積加算値を出力する第１の水平累積加算手段と、
前記撮像素子から１画素分の画素値に相当する撮像信号が出力されるのに同期して、前記第１の水平累積加算値を累積加算して、該累積加算により得られる第２の水平累積加算値を出力する第２の水平累積加算手段と、
前記撮像素子から１ライン分の画素値に相当する撮像信号が出力されるのに同期して、第２の所定の値を累積加算して、該累積加算により得られる第１の垂直累積加算値を出力する第１の垂直累積加算手段と、
前記撮像素子から１ライン分の画素値に相当する撮像信号が出力されるのに同期して、前記第１の垂直累積加算手段の累積加算値を累積加算して、該累積加算により得られる第２の垂直累積加算値を出力する第２の垂直累積加算手段と、
前記第２の水平累積加算値と前記第２の垂直累積加算値に基づいてシェーディング補正を行う補正演算手段と
を有することを特徴とするシェーディング補正装置を提供する。